(57)【要約】【課題】負圧がかかってもさらに変形しにくい構成とすることで、板厚をより薄いものにしても、同等の強度を有する屋根上取り付け金具を提供する。【解決手段】天面３と左右の立面２および締め付け部材４とを有する屋根上取り付け金具１を用いるが、天面の左右両端が下方に折曲されて、向かい合う二枚の立面２が形成され、該立面にはくりぬき部分２ａが設けられ、凸部２ｂが形成されるようにくりぬかれている。この凸部２ｂは、折板屋根の立ち上がっているハゼ部分や縦葺き屋根の山部側面に形成される凹部に係止する位置に、形成されており、凸部と相対する側に、締め付け部材４が設けられているのである。このような構成の屋根上取り付け金具を、折板屋根の立ち上がっているハゼ部分や縦葺き屋根の山部などに取り付ける。【選択図】　　　　図２
2004124583.tif 000002
【特許請求の範囲】
【請求項１】
天面と左右の立面および締め付け部材とを有する屋根上取り付け金具であり、
天面の左右両端が下方に折曲されて、向かい合う二枚の立面が形成され、
該立面にはくりぬき部分が設けられ、
該くりぬき部分には凸部が形成されており、
屋根上取り付け金具の前記凸部と相対する側には締め付け部材が設けられている屋根上取り付け金具。
【発明の詳細な説明】
【０００１】
【発明が属する技術分野】
本発明は、折板屋根や縦葺き屋根等の上に何らかの部材を取り付ける際に用いる屋根上取り付け金具に関するものである。
折板屋根の立ち上がっているハゼ部分や縦葺き屋根の山部などに、屋根上取り付け金具を取り付け、その屋根上取り付け金具に他の部材を取り付けることで、屋根上に他部材を取り付けることができるものである。
【０００２】
【従来の技術】
従来の技術について、図１３〜図１６に基づいて説明する（特許文献１参照）。これは特開２００１−２８８８６３号公報に示されている屋根上取り付け金具である。図１３は屋根上取付金具の分解斜視図、図１４と図１５は使用状態の説明図、図１６は、負圧がかかったときの屋根上取り付け金具の様子を表す図である。
【０００３】
この屋根上取り付け金具は、図１３に見られるように右左の挟持板から成り、左挟持板６１にはボルト棒７が、右挟持板６２には、遊孔８が設けられており、遊孔８にボルト棒７を通すことによって、左右の挟持板が組み合わせられている。
図１４に示されているように、挟持板６の下端を略Ｌ字形に折り曲げて形成された下辺板部９にて、折板屋根板の立ち上がっているハゼ部分Ｔを挟み、ボルト棒７に通されたナット１２をしめることにより、ハゼ部分に下辺板部９が締め付けられていく。
図１５は、そのようにして屋根上取り付け金具を折板屋根のはぜ部分に取り付けた様子を表している。
このような構成の屋根上取り付け金具であり、これを折板屋根のハゼ部分に取り付けた後、該屋根上取り付け金具の上に棟包み、雨押さえ、幕板等を取り付けるのである。
【０００４】
他の従来の技術について、図１７と図１８に基づいて説明する（特許文献２参照）。この図は実公昭５５−３６６６５号公報に示されている雪止金具である。この締付枠体１０は右左の挟持板６を有しており、挟持板６の下端は略Ｌ字形に折り曲げられ、下辺板部９となっている。そして、挟持板６の中央にはボルト１１が通っており、ナット１２にて締め付けられる構成である。
図１８に見られるように、長尺瓦棒１３に締付枠体１０をかぶせ、下辺板部９を長尺瓦棒１３の凹部Ｙにひっかけ、ボルトとナットを締めることにより下辺板部９が凹部Ｙを締め付け、締付枠体１０が長尺瓦棒１３に取り付けられる。この締付枠体１０が雪止金具の一部を構成しているものである。
【０００５】
【特許文献１】
特開２００１−２８８８６３号公報（図１、図２、図３）
【特許文献２】
実公昭５５−３６６６５号公報（第１図、第３図）
【０００６】
【発明が解決しようとする課題】
図１３〜図１６に示した従来の技術の屋根上取り付け金具は、図１５に見られるように、挟持板６の面の向きが、折板屋根板Ｓの立ち上がっているハゼ部分Ｔの長さ方向と平行に形成されている。左右の挟持板６は略コの字形をしており、折板屋根板Ｓの立ち上がっているハゼ部分Ｔの長さ方向と直角に交差する方向には、挟持板６の面は形成されていないものである。
このような従来の技術を用いると、挟持板６の面が折板屋根板Ｓの立ち上がっているハゼ部分Ｔの長さ方向と平行に形成されており、その下端を略Ｌ字形に折り曲げて形成された下辺板部９にて折板屋根板に取り付けられているため、図１６の矢印で示したように負圧がかかったときに、挟持板６と下辺板部９の折曲箇所が変形しやすいものである。
その箇所が変形してしまうと、下辺板部９が折板屋根板のハゼ部分からはずれてしまう危険があるので、この変形を防ぐために屋根上取り付け金具の強度を出す必要があり、板厚を上げることで対応していた。
【０００７】
一般に知られている折板屋根板の立ち上がっているハゼ部分に取り付けるタイプの屋根上取り付け金具は、図１５に示したものと同様に、挟持板６の面の向きが、折板屋根板Ｓの立ち上がっているハゼ部分Ｔの長さ方向と平行に形成されており、折板屋根板Ｓの立ち上がっているハゼ部分Ｔの長さ方向と直角に交差する方向には、面が形成されていない。このため、負圧がかかったときの変形を防ぐために、屋根上取り付け金具の強度を出す必要があり、やはり板厚を上げることで対応していた。
【０００８】
一方、図１７と図１８に示した従来の技術の締付枠体１０は、挟持板６の面が、長尺瓦棒１３の側面に形成された凹部Ｙと平行に形成されており、凹部Ｙと直角に交差する方向にも、前後縁１４として面が形成されている。
しかし、凹部Ｙと直角に交差する方向に形成されている前後縁１４の下端は、凹部Ｙに引っかかってはおらず、長尺瓦棒１３の半円形に形成されている部分を押圧しているにすぎない。凹部Ｙにひっかかっているのは、下辺板部９のみであり、この下辺板部９を有する挟持板６の面は、凹部Ｙの長さ方向と平行に形成されている。
このため、図１６と同様に、負圧がかかったときに、締付枠体１０の挟持板６が変形し、下辺板部９が長尺瓦棒１３の凹部Ｙからはずれてしまう危険があり、この変形を防ぐためには、やはり板厚を上げることで対応していた。
【０００９】
解決しようとする問題点は、屋根上取り付け金具の構成を、負圧がかかってもさらに変形しにくい構成とすることで、板厚をより薄いものにしても、同等の強度を有する屋根上取り付け金具を提供する点である。
【００１０】
【課題を解決するための手段】
天面と左右の立面および締め付け部材とを有する屋根上取り付け金具を用いるが、天面の左右両端が下方に折曲されて、向かい合う二枚の立面が形成されている。
そして、該立面にはくりぬき部分が設けられ、凸部が形成されるようにくりぬかれている。この凸部は、折板屋根の立ち上がっているハゼ部分や縦葺き屋根の山部側面に形成される凹部に係止する位置に、形成されている。
また、屋根上取り付け金具の前記凸部と相対する側に、締め付け部材が設けられているのである。
【００１１】
このような構成の屋根上取り付け金具を、折板屋根の立ち上がっているハゼ部分や縦葺き屋根の山部などに取り付ける。
屋根上取り付け金具の凸部を、折板屋根の立ち上がっているハゼ部分や縦葺き屋根の山部側面に形成される凹部にひっかけながら、前記くりぬき部分を、折板屋根の立ち上がっているハゼ部分や縦葺き屋根の山部にかぶせる。
その後、締め付け部材を締め付けることで、凸部と締め付け部材は折板屋根の立ち上がっているハゼ部分や縦葺き屋根の山部側面に形成される凹部を締め付け、屋根上取り付け金具が固定されるのである。
このように固定された屋根上取り付け金具に他の部材を取り付けることで、屋根上に他部材を取り付けることができるものである。
【００１２】
【実施例】
本発明の屋根上取り付け金具の第一実施例について、図１〜図６に基づいて説明する。この屋根上取り付け金具は、折板屋根の立ち上がっているハゼ部分に取り付ける一実施例である。
図１は屋根上取り付け金具１の斜視図、図２と図５は屋根上取り付け金具を折板屋根の立ち上がっているハゼ部分に取り付けた様子を表す図、図３は屋根上取り付け金具の平面図、図４は図３のＡ−Ａ線断面図、図６は屋根上取り付け金具の使用状態を表す説明図である。
【００１３】
この屋根上取り付け金具１は、天面３と左右の立面２および締め付け部材４とを有している。
図１に見られるように、天面３の左右両端が下方に折曲されて、向かい合う二枚の立面２が形成されている。
そして、立面２にはくりぬき部分２ａが設けられ、凸部２ｂが形成されるようにくりぬかれている。
また、屋根上取り付け金具１の前記凸部２ｂと相対する側には締め付け部材４が設けられているのである。
【００１４】
さらに詳細に説明すると、屋根上取り付け金具１は略箱形をしており、天面３と三方の側面を有している。
三方の側面のうち、相対する二枚の側面は立面２となっており、くりぬき部分２ａと凸部２ｂが形成されている。
図２および図５に見られるように、くりぬき部分２ａは折板屋根板の立ち上がっているハゼ部分Ｔにかぶせることができる大きさで、立ち上がっているハゼ部分Ｔに係止する位置に凸部２ｂが形成されるようにくりぬかれている。
残る一側面は側壁面５となっており、ここに締め付け部材４が取り付けられている。この締め付け部材４はボルトで形成されている。
また、立面２は、側壁面５側の辺からさらに延出して縁面２１を形成しており、側壁面５を包み込むように折曲されている。
【００１５】
このような構成の屋根上取り付け金具１を、折板屋根板Ｓの立ち上がっているハゼ部分Ｔに付ける。
屋根上取り付け金具１の凸部２ｂを、折板屋根の立ち上がっているハゼ部分Ｔにひっかけながら、くりぬき部分２ａを、折板屋根の立ち上がっているハゼ部分Ｔにかぶせる。
その後、ボルトで形成されている締め付け部材４を締めると、凸部２ｂと締め付け部材４は折板屋根の立ち上がっているハゼ部分Ｔを締め付け、屋根上取り付け金具１が固定されるのである。
このように固定された屋根上取り付け金具１に他の部材を取り付けることで、屋根上に他部材を取り付けることができるものである。
【００１６】
この屋根上取り付け金具１を用いて他部材を取り付ける一例として、棟包みＭやエプロン面戸Ｅを取り付ける例を、図６に基づいて説明する。
図６に見られるように、まず、折板屋根板Ｓの立ち上がっているハゼ部分Ｔに屋根上取り付け金具１を取り付け、その後、屋根上取り付け金具１の天面３には棟包みＭを、立面２にはエプロン面戸Ｅをそれぞれ取り付けていく。
このようにして、固定された屋根上取り付け金具１に他の部材を取り付けることで、屋根上に他部材を取り付けるのである。
【００１７】
前述の通り、この第一実施例は、向かい合う二枚の立面２が形成され、立面２にはくりぬき部分２ａが設けられ、凸部２ｂが形成されるようにくりぬかれている。
このため、この屋根上取り付け金具１を立ち上がっているハゼ部分Ｔに取り付けると、図２と図５に見られるように、折板屋根板Ｓの立ち上がっているハゼ部分Ｔの長さ方向と直角に交差する方向には立面２が存在し、この立面２に形成されている凸部２ｂが、立ち上がっているハゼ部分Ｔに係止している。
このように形成されているため、負圧がかかったときに、凸部２ｂの変形を防ぐ剛性が高いものである。
一方、図１６のように、従来の屋根上取り付け金具は、挟持板６の面が折板屋根板Ｓの立ち上がっているハゼ部分の長さ方向と平行に形成されており、その下端を略Ｌ字形に折り曲げて形成された下辺板部９にて折板屋根板に取り付けられているため、負圧がかかったときに、挟持板６と下辺板部９の折曲箇所が変形しやすいものであった。
このように、従来の技術と比べると負圧がかかっても変形しにくい構成なので、板厚をより薄いものにしても、同等の強度を有する屋根上取り付け金具を提供できる。
【００１８】
また、本実施例の立面２は、側壁面５側の辺からさらに延出して縁面２１を形成しており、側壁面５を包み込むように折曲されているが、この縁面２１が形成されていない場合、図７に示したように、締め付け部材４を締めると、側壁面５が外側方向に動いてしまうという問題が生じる。この場合、凸部２ｂと締め付け部材４とで立ち上がっているハゼ部分Ｔを締め付けても、強固に締め付けることができず、負圧がかかったときに容易にはずれてしまう危険がある。
縁面２１が形成されることでこれらの問題を解消し、締め付け部材４を締めても、側壁面５は縁面２１で規制されているため、外側方向に動くことがない。
このため、凸部２ｂと締め付け部材４とで立ち上がっているハゼ部分Ｔを締め付けたとき、強固に締め付けることができ、負圧がかかっても強固に固定することができるものである。
【００１９】
図８に示した屋根上取り付け金具１は、前述の第一実施例に、ボルト棒７とナット１２を取り付けたものである。このように、使用するケースに応じて設計変更を加えていくことができる。
【００２０】
図９に示した屋根上取り付け金具１は、第一実施例の屋根上取り付け金具１に設計変更を加えて、異なる形状の折板屋根板Ｓに取り付けた場合の一例である。折板屋根板Ｓの立ち上がっているハゼ部分Ｔの形状が、第一実施例のものと異なるため、ここに係止される凸部２ｂの形状が第一実施例のものと異なっている屋根上取り付け金具１である。このように設計変更を加えることで、各種形状の折板屋根板Ｓに用いることができるものであることを示す一例である。
【００２１】
次に、本発明の第二実施例について、図１０〜図１２に基づき説明する。この屋根上取り付け金具１は、縦葺き屋根の山部に取り付ける一例である。
図１０は屋根上取り付け金具１の斜視図、図１１は屋根上取り付け金具１の説明図、図１２は縦葺き屋根の山部に取り付けた様子を表す図である。
【００２２】
この屋根上取り付け金具１は、天面３と左右の立面２および締め付け部材４とを有している。
図１０に見られるように、天面３の左右両端が下方に折曲されて、向かい合う二枚の立面２が形成されている。
そして、立面２にはくりぬき部分２ａが設けられ、凸部２ｂが形成されるようにくりぬかれている。
また、屋根上取り付け金具１の前記凸部２ｂと相対する側には締め付け部材４が設けられているのである。
【００２３】
さらに詳細に説明すると、屋根上取り付け金具１は略箱形をしており、天面３と三方の側面を有している。
【００２４】
三方の側面のうち、相対する二枚の側面は立面２となっており、くりぬき部分２ａと凸部２ｂが形成されている。
図１２に見られるように、くりぬき部分２ａは縦葺き屋根の山部にかぶせることができる大きさで、縦葺き屋根の山部側面に形成される凹部Ｙに係止する位置に凸部２ｂが形成されるようにくりぬかれている。
【００２５】
残る一側面は側壁面５となっており、ここに締め付け部材４が取り付けられている。
この締め付け部材４は、締め付け片４ａと締め付け具４ｂから構成されている。この締め付け片４ａは、断面略コの字形をしており、立面２と平行する面には締め付け凸部４１が形成されている。また、締め付け具４ｂはボルトで形成されており、側壁面５から締め付け片４ａに掛け渡されている。
そして、締め付け片４ａの上部は立面２に軸を介して回動可能に取り付けられており、締め付け具４ｂを締めることで、締め付け片４ａが凸部２ｂの方向に回動するように構成されている（図１１参照）。締め付け凸部４１と凸部２ｂは向かい合っている。
【００２６】
また、立面２は、側壁面５側の辺からさらに延出して縁面２１となっており、側壁面５を包み込むように折曲されている。
【００２７】
このような構成の屋根上取り付け金具１を、縦葺き屋根の山部に取り付ける。屋根上取り付け金具１の凸部２ｂを、縦葺き屋根の山部側面に形成される凹部Ｙにひっかけながら、くりぬき部分２ａを、縦葺き屋根の山部にかぶせる。
その後、ボルトで形成されている締め付け具４ｂを図１１（イ）（ロ）のように締めると、締め付け片４ａが回動して、図１２のように締め付け凸部４１が縦葺き屋根の山部側面に形成される凹部Ｙに押しつけられる。凸部２ｂと締め付け凸部４１は縦葺き屋根の山部側面に形成される凹部Ｙを締め付け、屋根上取り付け金具１が固定されるのである。
このように固定された屋根上取り付け金具１に他の部材を取り付けることで、屋根上に他部材を取り付けることができるものである。
【００２８】
前述の通り、この第二実施例は、向かい合う二枚の立面２が形成され、立面２にはくりぬき部分２ａが設けられ、凸部２ｂが形成されるようにくりぬかれている。また、締め付け片４ａの、立面２と平行する面には締め付け凸部４１が形成されている。
このため、この屋根上取り付け金具１を縦葺き屋根の山部に取り付けると、図１２に見られるように、縦葺き屋根の山部側面に形成される凹部Ｙの長さ方向と直角に交差する方向には立面２が存在し、この立面２に形成されている凸部２ｂが、凹部Ｙに係止している。
このように形成されているため、負圧がかかったときに、凸部２ｂの変形を防ぐ剛性が高いものである。
同様に、締め付け片４ａの、立面２と平行する面に締め付け凸部４１が形成されているため、負圧がかかったときに、締め付け凸部４１の変形を防ぐ剛性も高いものである。
一方、図１８に示した従来の屋根上取り付け金具は、負圧がかかったときに、締付枠体１０の挟持板６が変形し、下辺板部９が長尺瓦棒１３の凹部Ｙからはずれてしまう危険があり、この変形を防ぐために、板厚を上げることで対応していた。
このように、従来の技術と比べると負圧がかかっても変形しにくい構成なので、板厚をより薄いものにしても、同等の強度を有する屋根上取り付け金具を提供できる。
【００２９】
また、本実施例の立面２も、側壁面５側の辺から延出して縁面２１となっており、側壁面５を包み込むように折曲されている。
第一実施例と同様に、縁面２１が形成されることで、締め付け部材４を締めても、側壁面５は縁面２１で規制されているため外側方向に動くことがなく、凸部２ｂと締め付け部材４とで縦葺き屋根の山部側面に形成される凹部Ｙを強固に締め付けることができるものである。
【００３０】
【発明の効果】
従来の一般に知られている折板屋根板の立ち上がっているハゼ部分に取り付けるタイプの屋根上取り付け金具は、図１５に示したものと同様に、挟持板６の面の向きが、折板屋根板の立ち上がっているハゼ部分Ｔの長さ方向と平行に形成されており、負圧がかかったときの変形を防ぐために屋根上取り付け金具の強度を出す必要があり、板厚を上げることで対応していた。
また、縦葺き屋根の山部に取り付けるタイプの屋根上取り付け金具も、図１８に示したものと同様に、長尺瓦棒１３の側面に形成された凹部Ｙにひっかかっているのは、凹部Ｙの長さ方向と平行に形成されている下辺板部９のみである。
このため、負圧がかかったときに、締付枠体１０の挟持板６が変形し、下辺板部９が長尺瓦棒１３の凹部Ｙからはずれてしまう危険があり、この変形を防ぐためには、やはり板厚を上げることで対応していた。
【００３１】
これに対し、本発明にかかる屋根上取り付け金具は、天面の左右両端が下方に折曲されて、向かい合う二枚の立面が形成され、該立面にはくりぬき部分が設けられ、凸部が形成されるようにくりぬかれている。この凸部は、折板屋根の立ち上がっているハゼ部分や縦葺き屋根の山部側面に形成される凹部に係止する位置に、形成されている。
また、屋根上取り付け金具の前記凸部と相対する側には締め付け部材が設けられており、凸部と締め付け部材は、折板屋根の立ち上がっているハゼ部分や縦葺き屋根の山部側面に形成される凹部を締め付け、屋根上取り付け金具が固定されるのである。
このため、この屋根上取り付け金具を折板屋根の立ち上がっているハゼ部分や縦葺き屋根の山部側面に形成される凹部に取り付けると、折板屋根の立ち上がっているハゼ部分や縦葺き屋根の山部側面に形成される凹部の長さ方向と直角に交差する方向には、立面が存在し、この立面に形成されている凸部が、折板屋根板の立ち上がっているハゼ部分や縦葺き屋根の山部側面に形成される凹部に係止する。
このように形成されているため、負圧がかかったときに、凸部の変形を防ぐ剛性が高いものである。
従来の技術と比べると負圧がかかっても変形しにくい構成なので、板厚をより薄いものにしても、同等の強度を有する屋根上取り付け金具を提供できるものである。
【図面の簡単な説明】
【図１】本発明第一実施例の斜視図である。
【図２】本発明第一実施例の説明図である。
【図３】本発明第一実施例の平面図である。
【図４】図３のＡ−Ａ線断面図である。
【図５】本発明第一実施例の説明図である。
【図６】本発明第一実施例の説明図である。
【図７】作用の説明図である。
【図８】本発明の他の実施例の説明図である。
【図９】本発明の他の実施例の説明図である。
【図１０】本発明第二実施例の斜視図である。
【図１１】本発明第二実施例の説明図である。
【図１２】本発明第二実施例の説明図である。
【図１３】従来の技術の説明図である。
【図１４】従来の技術の説明図である。
【図１５】従来の技術の説明図である。
【図１６】従来の技術の説明図である。
【図１７】従来の技術の説明図である。
【図１８】従来の技術の説明図である。
【符号の説明】
１　　屋根上取り付け金具
２　　立面
２１　縁面
２ａ　くりぬき部分
２ｂ　凸部
３　　天面
４　　締め付け部材
４１　締め付け凸部
４ａ　締め付け片
４ｂ　締め付け具
５　　側壁面
Ｓ　　折板屋根板
Ｔ　　立ち上がっているハゼ部分
Ｅ　　エプロン面戸
Ｍ　　棟包み
Ｙ　　凹部
【図１】
2004124583.tif 000003
【図２】
2004124583.tif 000004
【図３】
2004124583.tif 000005
【図４】
2004124583.tif 000006
【図５】
2004124583.tif 000007
【図６】
2004124583.tif 000008
【図７】
2004124583.tif 000009
【図８】
2004124583.tif 000010
【図９】
2004124583.tif 000011
【図１０】
2004124583.tif 000012
【図１１】
2004124583.tif 000013
【図１２】
2004124583.tif 000014
【図１３】
2004124583.tif 000015
【図１４】
2004124583.tif 000016
【図１５】
2004124583.tif 000017
【図１６】
2004124583.tif 000018
【図１７】
2004124583.tif 000019
【図１８】
2004124583.tif 000020